(57)【要約】【課題】商品を縦列に収納するケース本体と、該商品をケース端部に向けて移動付勢する付勢手段とを備えた商品陳列ケースにおいて、金属製の巻きばねに代わる付勢手段であって、安価で交換の容易な付勢手段を備えた商品陳列ケースを得る。【解決手段】付勢手段が、樹脂材料からなる可撓性板材からなり、該可撓性板材の一端部はその一端部に上記ケース本体に支持される付勢反力部を備え、他端部に上記商品を移動付勢する付勢摺動部を備え、該可撓性板材の上記付勢反力部と付勢摺動部の間の中間部分は、上記ケース本体に非接触で該ケース本体から突出するアーチ状をなしている商品陳列ケース。【選択図】図１
2015112302.tif 000002
【特許請求の範囲】
【請求項１】
商品を縦列に収納するケース本体と；
このケース本体に収納された商品を該商品の縦列方向の該ケース本体端部に向けて付勢する付勢手段と；
を有する商品陳列ケースにおいて、
上記付勢手段は、樹脂材料からなる可撓性板材からなること、
該可撓性板材はその一端部に上記ケース本体に支持される付勢反力部を備えること、
該可撓性板材はその他端部に上記ケース本体に摺動可能に支持され商品を移動付勢する付勢摺動部を備えること、及び
該可撓性板材の上記付勢反力部と付勢摺動部の間の中間部分は、上記ケース本体に非接触で該ケース本体から突出するアーチ状をなすこと、
を特徴とする商品陳列ケース。
【請求項２】
請求項１記載の商品陳列ケースにおいて、上記ケース本体内には、上記アーチ状をなす可撓性板材の両側に位置させて商品群が収納されており、上記付勢反力部は、上記ケース本体に摺動可能に支持されていて同時に商品群をケース本体の端部方向に押圧する付勢摺動部を兼ねている商品陳列ケース。
【請求項３】
請求項１または２記載の商品陳列ケースにおいて、上記可撓性板材の付勢摺動部と商品との間には、押し板が介在している商品陳列ケース。
【請求項４】
請求項１ないし３のいずれか１項記載の商品陳列ケースにおいて、上記付勢摺動部は、上記ケース本体に形成した少なくとも１つの摺動孔に摺動自在に嵌めた上記可撓性板材の端部に形成した摺動突起を備えている商品陳列ケース。
【請求項５】
請求項４記載の商品陳列ケースにおいて、上記摺動孔は、ケース本体の底壁に１つが備えられており、上記摺動突起は、上記可撓性板材の端部に形成した幅狭のネック部によって画成され、上記底壁の下面に沿う一対からなっている商品陳列ケース。
【請求項６】
請求項４記載の商品陳列ケースにおいて、上記摺動孔は、ケース本体の両側壁に一対が備えられており、上記摺動突起は、上記可撓性板材の端部に幅方向に突出形成した一対からなっている商品陳列ケース。
【請求項７】
請求項１ないし６のいずれか１項記載の商品陳列ケースにおいて、上記ケース本体の底部には、該ケース本体の商品縦列方向に向けて、上記可撓性板材の付勢摺動部と商品が線状に接触する少なくとも一対のレールが形成されている商品陳列ケース。
【請求項８】
請求項１ないし７のいずれか１項記載の商品陳列ケースにおいて、上記可撓性板材は、ポリカーボネイトからなっている商品陳列ケース。
【発明の詳細な説明】
【技術分野】
【０００１】
本発明は、例えば店舗に設置する商品陳列ケースに関する。
【背景技術】
【０００２】
コンビニ店のような店舗では、各種の商品陳列ケースを設置することが行われている。タバコ商品陳列ケースを例にとると、タバコを縦列に収納するケース本体内に、摺動自在に押し板を配置し、この押し板を付勢手段によって前方（ケース端部）に付勢することで、縦列の複数のタバコをケース本体の前方に向けて移動させている。ケース本体から最も前方のタバコを抜き取ると、付勢手段によって押圧付勢されている押し板により後続のタバコが前方に送られる。
【先行技術文献】
【特許文献】
【０００３】
【特許文献１】特開２００７-１３５８７５号公報
【特許文献２】特開２０１２-２４１３１号公報
【発明の概要】
【発明が解決しようとする課題】
【０００４】
このタバコ陳列ケースの押し板の付勢手段は従来、金属製の巻きばねから構成されていた（特許文献１、２）。このような金属製の巻きばねは、例えば「コンストン」（商品名）の定荷重ばねとして市販されているが、高価であり、また、交換する際の作業性に問題があった。つまり、コンビニ店等の店舗の従業員が簡単に交換することは困難なのが実情であった。
【０００５】
従って本発明は、金属製の巻きばねに代わる付勢手段であって、安価で交換の容易な付勢手段を備えた商品陳列ケースを得ることを目的とする。
【課題を解決するための手段】
【０００６】
本発明は、商品を縦列に収納するケース本体と；このケース本体に収納された商品を該商品の縦列方向の該ケース本体端部に向けて付勢する付勢手段と；を有する商品陳列ケースにおいて、上記付勢手段は、樹脂材料からなる可撓性板材からなること、該可撓性板材はその一端部に上記ケース本体に支持される付勢反力部を備えること、該可撓性板材はその他端部に上記ケース本体に摺動可能に支持され商品を移動付勢する付勢摺動部を備えること、及び該可撓性板材の上記付勢反力部と付勢摺動部の間の中間部分は、上記ケース本体に非接触で該ケース本体から突出するアーチ状をなすこと、を特徴としている。
【０００７】
上記ケース本体内には、アーチ状をなす上記可撓性板材の両側に位置させて商品群を収納することができる。この態様では、可撓性板材の付勢反力部は、上記ケース本体に摺動可能に支持され同時に商品群をケース本体の端部方向に押圧する付勢摺動部を兼ねる。
【０００８】
上記可撓性板材の付勢摺動部と商品群との間には、押し板を介在させることができる。
【０００９】
上記付勢摺動部は、その一態様では、上記ケース本体に形成した少なくとも１つの摺動孔に摺動自在に嵌めた上記可撓性板材の端部に形成した摺動突起を備えている。
【００１０】
上記摺動孔は、ケース本体の底壁に１つを設け、上記摺動突起は、上記可撓性板材の端部に形成した幅狭のネック部によって、上記底壁の下面に沿う一対を画成することができる。
【００１１】
あるいは、上記摺動孔は、ケース本体の両側壁に一対を設け、上記摺動突起は、上記可撓性板材の端部に幅方向に突出形成した一対から構成することができる。
【００１２】
上記ケース本体の底部には、該ケース本体の商品縦列方向に向けて、可撓性板材の付勢摺動部と商品が線状に接触する少なくとも一対のレールを形成することが好ましい。
【００１３】
上記可撓性板材は、ポリカーボネイトから構成することが好ましい。
【発明の効果】
【００１４】
本発明は、商品を縦列に収納するケース本体と、該商品をケース端部に向けて移動付勢する付勢手段とを備えた商品陳列ケースにおいて、付勢手段として樹脂材料からなる可撓性板材を用いたものであって、該可撓性板材の一端部にケース本体の長手方向に移動自在に支持される付勢反力部を備え、該可撓性板材の他端部に商品を移動付勢する付勢摺動部を備え、該可撓性板材の付勢反力部と付勢摺動部の間の中間部分は、ケース本体に非接触で該ケース本体から突出するアーチ状をなしているので、安価で交換の容易な付勢手段を備えた商品陳列ケースを得ることができる。
【図面の簡単な説明】
【００１５】
【図１】本発明による商品陳列ケースの一実施形態を示す分解斜視図である。
【図２】同一実施形態の組立状態の斜視図であって、（Ａ）は陳列タバコが少数（一つのみ）で残量マーカが露見している状態を示し、（Ｂ）は陳列タバコが多数で残量マーカが露見していない状態を示している。
【図３】（Ａ）、（Ｂ）及び（Ｃ）は、可撓性板材を除いて描いた同一実施形態の正面図、側面図及び平面図である。
【図４】樹脂板ばね単体の平面図である。
【図５】（Ａ）及び（Ｂ）は、押し板の正面図及び側面図である。
【図６】（Ａ）、（Ｂ）及び（Ｃ）は、残量マーカの正面図、側面図及び平面図である。
【図７】本発明による商品陳列ケースの別の実施形態を示す側面図である。
【図８】樹脂板ばねのスライド支持構造の別の実施形態を示す部分斜視図である。
【発明を実施するための形態】
【００１６】
図１ないし図６は、本発明をタバコの陳列に適用したタバコ陳列ケース１００の第一の実施形態を示している。このタバコ陳列ケース１００は、ケース本体１０と、樹脂材料からなる可撓性板材（樹脂板ばね）２０と、押し板（プッシャー）３０とを主たる構成要素としている。ケース本体１０は、底壁１１、両側壁１２及び両端壁１３を有し、上方が開放された細長形状をなしており、商品としてのタバコＣ（図２、図３）を縦列で収納する。以下の説明では、ケース本体１０の商品縦列方向を前後方向（長さ方向）とし、両側壁１２の間隔方向を幅方向とする。
【００１７】
底壁１１には、幅方向の中央部に、貫通摺動孔（スリット）１４が形成されており、摺動孔１４の左右には、上方（ケース内方）に突出する一対の断面山形のレール突起１５が形成されている。底壁１１の前後端部下面からは、該底壁１１の長さ方向及び幅方向に離間させて各一対の脚部１６が突出形成されている。
【００１８】
ケース本体１０は、この実施形態では、透明樹脂材料からなっており、両端壁１３の内側には、該両端壁１３との間にカード挿入溝１７を構成する平行板１８が固定されている。平行板１８にはその上部に指掛凹部１９が形成されている。カード挿入溝１７には、例えば定価表示板が挿入される。
【００１９】
押し板３０は、ケース本体１０の摺動孔１４に摺動可能に支持されるもので、摺動孔１４との摺動係合部３１と、タバコＣの一部を押圧する押圧面部３２とを備えている。この押し板３０には摺動孔１４からの突出部下面に、残量マーカ３３が嵌込固定（または接着固定）されている。図５は押し板３０の単体形状を示し、図６は残量マーカ３３の単体形状を示している。残量マーカ３３は、摺動係合部３１より前方に突出する突出部３３ａと、その前端部に形成した表示部３３ｂとを有していて、少なくとも表示部３３ｂの前面が赤色等の注意喚起色からなっている。また、押し板３０は、図３に示すように、残量マーカ３３の表示部３３ｂがケース本体１０の前方の両端壁１３内面に当接する位置で前進位置が規制される。この前進規制位置では、一つのタバコＣが両端壁１３（平行板１８）と押し板３０の押圧面部３２との間に位置する。
【００２０】
可撓性板材２０は、合成樹脂材料（好ましくはポリカーボネート）製の板材からなっており、幅広の本体部２１の長さ方向の両端部には、ネック部２２を介して、幅方向の両側に突出する一対の摺動突起２３が形成されている。ネック部２２は、一対の切欠部２４によって形成されている。図４は、可撓性板材２０の単体の平面形状を示している。この可撓性板材２０の本体部２１の幅ｓは、ケース本体１０の幅（一対の両側壁１２の間隔）Ｓより十分小さく、その本体部２１の長さ（一対のネック部２２間の長さ）Ｘは、摺動孔１４の長さｘより長い。ネック部２２の幅Ｚは、ケース本体１０の摺動孔１４の幅Ｐに対応し（幅Ｐより若干狭く）、一対の摺動突起２３を含む幅Ｙは、摺動孔１４の幅Ｐより大きい。また切欠部２４の長さＱは、底壁１１の厚さｄ（図３（Ｂ））に対応している（厚さｄより十分大きい）。
【００２１】
可撓性板材２０の両端部のネック部２２（摺動突起２３）は、ケース本体１０の摺動孔１４内に摺動可能に嵌められ、各摺動突起２３は、摺動孔１４を通した後、底壁１１の下面に摺動自在に位置する。可撓性板材２０は可撓性を有するため、一方のネック部２２（摺動突起２３）を摺動孔１４に嵌めた状態で、可撓性板材２０の他端部を捩り、他方のネック部２２（摺動突起２３）を摺動孔１４に嵌め、その後捩り力を開放することで、他方のネック部２２（摺動突起２３）も摺動孔１４に嵌めることができる。上述のように、可撓性板材２０の本体部２１の長さは摺動孔１４の長さより大きいので、この摺動孔１４への装着状態では、ネック部２２（摺動突起２３）以外の可撓性板材２０は、ケース本体１０とは非接触であり、上方にアーチ状に突出する。このアーチ状の可撓性板材２０は、自由状態の平面状態に復帰しようとするため、タバコＣをその数に拘わらず前方に押す付勢力が得られる。本体部２１の長さＸは、可撓性板材２０の材質、幅、厚さ等を考慮し、摺動孔１４の装着状態で以上のように上方にアーチ状に突出する結果、タバコＣを前方に押す付勢力が得られればよい。具体的には、例えば摺動孔１４の１.１倍〜１.３倍前後の長さとすることができる。
【００２２】
すなわち、以上のタバコ陳列ケース１００は、押し板３０の押圧面部３２とケース本体１０の前方の端壁１３（平行板１８）との間に、縦列にタバコＣをセットすることで使用状態となる(図２)。このとき、可撓性板材２０の両端部のネック部２２（摺動突起２３）の一方（図２の奥側）は、ケース本体１０の摺動孔１４の端部に支持される付勢反力部２０Ｆを構成し、他方（図２の手前側）は、タバコＣを移動付勢する付勢摺動部２０Ｓを構成することとなる。タバコＣの収納個数が多いほど、アーチ状をなす可撓性板材２０の上方への突出量及び前方への移動付勢力が大きく（図２（Ｂ））、収納されているタバコＣの個数が減るに従って、同突出量及び移動付勢力は小さくなる（図２（Ａ））。この実施形態では、付勢反力部２０Ｆと付勢摺動部２０Ｓは、構成を単純化するため同一構造であるが、付勢反力部２０Ｆは機能上ケース本体１０に対して摺動可能である必要はない。
【００２３】
従って、可撓性板材２０の材質、厚さ及び長さ等の要素は、タバコＣの量に拘わらず、タバコＣを前方へ移動付勢することができるように定められる。材質に関し、特にポリカーボネイト樹脂が好ましい耐久性を示すことが確認された。そして、可撓性板材２０は、単純形状の板材であるため、故障あるいは破損の可能性は極めて低い。さらに、仮に可撓性板材２０を交換する必要が生じたとしても、可撓性板材２０の端部を捻ってネック部２２（摺動突起２３）を摺動孔１４から外し、逆の動作で新しい可撓性板材２０を摺動孔１４に嵌めればよい。可撓性板材２０は、自由状態では平面状であるから、店舗での保管スペース、保管コストに多くを要せず、また、交換に特別な技術を要しないから管理コストを低減することができる。
【００２４】
レール突起１５は、タバコＣ及び押し板３０と線状に接触するため、その移動（摺動）抵抗を減らすために効果がある。そして、タバコＣの残数が１個または２個になると、押し板３０と一緒に前進する残量マーカ３３が、ケース本体１０の底壁１１の下方に露見し、タバコＣの残数が少なくなったこと（補充すべきこと）を表示する（図２（Ａ）、図３）。
【００２５】
以上の実施形態の押し板３０は、商品がタバコＣである場合には、タバコＣを面で押すことができるため、設置することが好ましいが、本発明の必須の要素ではない。すなわち、可撓性板材２０のネック部２２（摺動突起２３）側の端部において、直接商品を押圧する態様も可能である。
【００２６】
また、以上の実施形態では、可撓性板材２０の両端部のネック部２２（摺動突起２３）の一方は、ケース本体１０の摺動孔１４の端部に支持される付勢反力部２０Ｆを構成し、他方は、タバコＣを移動付勢する付勢摺動部２０Ｓを構成している。これに対し、図７は、可撓性板材２０の両端部のネック部２２（摺動突起２３）とケース本体１０の両端壁１３との間にタバコＣを挿入し、両端部のネック部２２（摺動突起２３）の双方を付勢摺動部２０Ｓとした実施形態である。
【００２７】
以上の実施形態では、可撓性板材２０のネック部２２（摺動突起２３）をケース本体１０の底壁１１に直接形成した摺動孔１４に摺動可能に嵌めているが、ケース本体１０とは別部材として、可撓性板材２０のネック部２２（摺動突起２３）を案内するレール部材を用意し、このレール部材をケース本体１０に固定してもよい。
【００２８】
さらに、図８は、可撓性板材２０の摺動突起２３のケース本体１０に対する別の支持態様を示している。この実施形態は、ケース本体１０の両側壁１２に一対の摺動孔（スリット）１２ａを形成し、可撓性板材２０から側方に突出させた一対の摺動突起２３ａをこの一対の摺動孔１２ａに摺動自在に嵌めている。
【００２９】
以上は、本発明をタバコ陳列ケースとして説明したものであるが、タバコ以外の商品についても本発明は適用可能である。
【符号の説明】
【００３０】
Ｃ  タバコ（商品）
１００  タバコ陳列ケース（商品陳列ケース）
１０  ケース本体
１１  底壁
１２  両側壁
１２ａ  摺動孔（スリット）
１３  両端壁
１４  摺動孔（スリット）
１５  レール突起
１６  脚部
１７  カード挿入溝
１８  平行板
１９  指掛凹部
２０  可撓性板材（樹脂板ばね）
２０Ｆ  付勢反力部
２０Ｓ  付勢摺動部
２１  本体部
２２  ネック部（付勢反力部または付勢摺動部）
２３  ２３ａ  摺動突起（付勢反力部または付勢摺動部）
２４  切欠部
３０  押し板
３１  摺動係合部
３２  押圧面部
３３  残量マーカ
【図１】
2015112302.tif 000003
【図２】
2015112302.tif 000004
【図３】
2015112302.tif 000005
【図４】
2015112302.tif 000006
【図５】
2015112302.tif 000007
【図６】
2015112302.tif 000008
【図７】
2015112302.tif 000009
【図８】
2015112302.tif 000010